(57)【要約】【解決手段】２つの隣接する周波数チャネルの無線信号のサブキャリアを位置合わせ方法と、そのための装置が説明される。その方法は、第１無線信号の第１複数サブキャリアと、第２無線信号の第２複数サブキャリアとを、周波数オフセットの第１無線信号の中心周波数をシフトすることによって、２つの隣接する周波数チャネルの間にある重複の周波数領域内に位置合わせすることを含む。第１無線信号と第２無線信号は、２つの隣接する周波数チャネル上の伝送に用いられ、第１周波数チャネルは、２つの隣接する周波数チャネルの１つである。【選択図】図６
2011512089.tif 000002
【特許請求の範囲】
【請求項１】
直交周波数分割多重（OFDM）システムの２つの隣接する周波数チャネル上の伝送に用いられる無線信号のサブキャリアの位置合わせ方法であって、前記方法は、周波数オフセットの第１無線信号の中心周波数をシフトすることによって、前記第１無線信号の第１複数サブキャリアと第２無線信号の第２複数サブキャリアを２つの隣接する周波数チャネルの間にある重複の周波数領域内で位置合わせさせるステップを含み、前記第１無線信号と前記第２無線信号は、前記２つの隣接する周波数チャネル上の伝送に用いられ、前記第１周波数チャネルは、前記２つの隣接する周波数チャネルの１つである方法。
【請求項２】
直交周波数分割多重（OFDM）を１つまたは１つ以上の周波数分割多元接続（Frequency Division Multiple Access；FDMA）、時分割多元接続（Time Division Multiple Access；TDMA）、または符号分割多元接続（Code Division Multiple Access；CDMA）と結合し、複数の装置を提供するステップを更に含む請求項１に記載の方法。
【請求項３】
前記位置合わせは、キャリア間干渉を減少する請求項１に記載の方法。
【請求項４】
前記無線OFDMシステムは、同時に異なる周波数チャネル複数無線キャリア上のデータ伝送を処理し、各周波数チャネルは、既定の中心周波数を含み、第１無線信号の中心周波数のシフトは前記第１周波数チャネルの第１既定の中心周波数に基づき、前記第１無線信号の前記シフトされた中心周波数は、前記第１無線信号の前記第１既定の中心周波数と異なる請求項１に記載の方法。
【請求項５】
前記重複の周波数領域は、前記第１無線信号の前記第１複数サブキャリアの少なくとも一部と前記第２無線信号の前記第２複数サブキャリアの少なくとも一部に分布された周波数ドメイン領域である請求項１に記載の方法。
【請求項６】
前記重複の周波数領域は、データ転送禁止に初期設定されたガードサブキャリア領域である請求項５に記載の方法。
【請求項７】
前記重複の周波数領域内の前記第１無線信号の前記第１複数サブキャリアと前記第２無線信号の前記第２複数サブキャリアの位置合わせは、前記無線OFDMシステムの第２周波数チャネル上に伝送された前記第２無線信号の中心周波数をシフトすることで前記重複の周波数領域内の前記第１複数サブキャリアと前記第２複数サブキャリアが位置合わせされるステップを更に含み、第１周波数チャネルと第２周波数チャネルは、２つの隣接の周波数チャネルである請求項１に記載の方法。
【請求項８】
前記第１無線信号の各前記第１複数サブキャリアの第１サブキャリア間隔は、前記第２無線信号の各前記第２複数サブキャリアの第２サブキャリア間隔と実質的に同じである請求項１に記載の方法。
【請求項９】
前記周波数オフセットは、前記第１サブキャリア間隔に関連した少数値である請求項８に記載の方法。
【請求項１０】
前記周波数オフセットは、前記第１サブキャリア間隔の少数値とサブキャリア間隔の数に基づいたものであり、前記サブキャリア間隔の数は、少なくとも１つである請求項８に記載の方法。
【請求項１１】
前記周波数オフセットは、前記重複の周波数領域の前記第１無線信号の前記第１複数サブキャリアのサブキャリアと前記重複の周波数領域の前記第２無線信号の前記第２複数サブキャリアのサブキャリア間の最小周波数差値（Δfmin）と前記サブキャリア間隔の数に基づいている請求項８に記載の方法。
【請求項１２】
前記周波数オフセットは、前記最小周波数差値に前記サブキャリア間隔の数を加えたもので、前記第１複数サブキャリア間隔の数は、０と等しいかまたは０より大きい整数である請求項１１に記載の方法。
【請求項１３】
前記周波数オフセットは、前記第１複数サブキャリアの数に前記最小周波数差値（Δfmin）を引いたもので、前記第１複数サブキャリア間隔の数は、１と等しいかまたは１より大きい整数である請求項１１に記載の方法。
【請求項１４】
前記周波数オフセットは、前記重複の周波数領域の前記第１無線信号の前記第１複数サブキャリアのサブキャリアと前記重複の周波数領域の前記第２無線信号の前記第２複数サブキャリアのサブキャリア間の最小周波数差値（Δfmin）に基づいている請求項１に記載の方法。
【請求項１５】
前記周波数オフセットに関するメッセージを受けるステップを更に含み、前記メッセージは、ブロードキャスト、マルチキャスト、またはユニキャストの方式で伝送器によって伝送される請求項１に記載の方法。
【請求項１６】
前記周波数オフセットは、前記無線信号の伝送または受信前に既定される請求項１に記載の方法。
【請求項１７】
受信機によって基準信号を受け、前記基準信号に基づいて前記周波数オフセットを推定するステップを更に含み、前記基準信号は、提案された周波数オフセットを含む請求項１に記載の方法。
【請求項１８】
前記周波数オフセットを推定する初期基準信号を受信機に伝送するステップ、及び
前記推定された周波数オフセットを伝送器から受けるステップを更に含む請求項１に記載の方法。
【請求項１９】
前記周波数オフセットは、時不変値である請求項１に記載の方法。
【請求項２０】
前記第１複数サブキャリアと前記第２複数サブキャリアが前記重複の周波数領域内に位置合わせされた後、データを前記重複の周波数領域上に伝送するステップを更に含む請求項１に記載の方法。
【請求項２１】
直交周波数分割多重（OFDM）システムの２つの隣接する周波数チャネル上の伝送に用いられる無線信号のサブキャリアを位置合わせする通信装置であって、前記通信装置は、
プロセッサ、及び
前記プロセッサで実行された時、前記プロセッサに周波数オフセットに基づいて第１無線信号の中心周波数をシフトするように命令を出させ、前記第１無線信号の第１複数サブキャリアと第２無線信号の第２複数サブキャリアを前記２つの隣接する周波数チャネルの間にある重複の周波数領域内で位置合わせさせる一組の命令を含むメモリを含み、
前記第１無線信号と前記第２無線信号は、前記２つの隣接する周波数チャネル上の伝送に用いられ、
前記第１無線信号は、前記無線OFDMシステムの第１周波数チャネル上に伝送されるように用いられ、且つ
前記第１周波数チャネルは、前記２つの隣接する周波数チャネルの１つである通信装置。
【請求項２２】
前記無線信号の中心周波数を変更するのに用いられる周波数合成器を更に含み、前記周波数チャネルによって伝送された前記第１無線信号の前記中心周波数は、前記周波数合成器を調整することでシフトされる請求項２１に記載の通信装置。
【請求項２３】
前記無線信号の中心周波数を構成するように用いられるデジタルシグナルプロセッサを更に含み、前記デジタルシグナルプロセッサを構成することで、前記第１周波数チャネルに伝送するように用いられた前記第１無線信号の中心周波数がシフトされる請求項２１に記載の通信装置。
【請求項２４】
前記通信装置は、直交周波数分割多重（OFDM）を１つまたは１つ以上の周波数分割多元接続（Frequency Division Multiple Access；FDMA）、時分割多元接続（Time Division Multiple Access；TDMA）、または符号分割多元接続（Code Division Multiple Access；CDMA）と結合するように用いられる請求項２１に記載の通信装置。
【請求項２５】
前記重複の周波数領域は、前記第１無線信号の前記第１複数サブキャリアの少なくとも一部と前記第２無線信号の前記第２複数サブキャリアの少なくとも一部に分布された周波数ドメイン領域である請求項２１に記載の通信装置。
【請求項２６】
前記重複の周波数領域は、データ転送禁止に初期設定されたガードサブキャリア領域である請求項２３に記載の通信装置。
【請求項２７】
前記メモリは、前記プロセッサで実行された時、前記プロセッサに前記無線OFDMシステムの第２周波数チャネル上に伝送された前記第２無線信号の中心周波数をシフトすることで前記重複の周波数領域内の前記第１複数サブキャリアと前記第２複数サブキャリアが位置合わせされるように命令を出させる命令を更に含む請求項２１に記載の通信装置。
【請求項２８】
前記第１無線信号の各前記第１複数サブキャリアの第１サブキャリア間隔は、前記第２無線信号の各前記第２複数サブキャリアの第２サブキャリア間隔と実質的に同じである請求項２１に記載の通信装置。
【請求項２９】
前記周波数オフセットは、前記第１サブキャリア間隔に関連した少数値である請求項２７に記載の通信装置。
【請求項３０】
前記周波数オフセットは、前記第１サブキャリア間隔の少数値とサブキャリア間隔の数に基づいたものであり、前記サブキャリア間隔の数は、少なくとも１つである請求項２７に記載の通信装置。
【請求項３１】
前記周波数オフセットは、前記重複の周波数領域の前記第１無線信号の前記第１複数サブキャリアのサブキャリアと前記重複の周波数領域の前記第２無線信号の前記第２複数サブキャリアのサブキャリア間の最小周波数差値（Δfmin）と前記サブキャリア間隔の数に基づいている請求項２７に記載の通信装置。
【請求項３２】
前記周波数オフセットは、前記最小周波数差値に前記サブキャリア間隔の数を加えたもので、前記第１複数サブキャリア間隔の数は、０と等しいかまたは０より大きい整数である請求項３１に記載の方法。
【請求項３３】
前記周波数オフセットは、前記第１複数サブキャリアの数に前記最小周波数差値（Δfmin）を引いたもので、前記第１複数サブキャリア間隔の数は、１と等しいかまたは１より大きい整数である請求項３１に記載の通信装置。
【請求項３４】
前記周波数オフセットは、前記重複の周波数領域の前記第１無線信号の前記第１複数サブキャリアのサブキャリアと前記重複の周波数領域の前記第２無線信号の前記第２複数サブキャリアのサブキャリア間の最小周波数差値（Δfmin）に基づいている請求項２１に記載の通信装置。
【請求項３５】
前記周波数オフセットは、前記無線信号の伝送または受信前に既定される請求項２１に記載の通信装置。
【請求項３６】
前記プロセッサで実行された時、前記プロセッサに基準信号を受けさせ、前記基準信号に基づいて前記周波数オフセットを推定する命令を更に含み、前記基準信号は、提案された周波数オフセットを含む請求項２１に記載の通信装置。
【請求項３７】
前記周波数オフセットは、時不変値である請求項２１に記載の通信装置。
【請求項３８】
直交周波数分割多重（OFDM）システムの２つの隣接する周波数チャネル上の伝送に用いられる無線信号のサブキャリアを位置合わせする通信装置であって、前記通信装置は、
制御信号に基づいた周波数オフセットに基づいて前記第１無線信号の中心周波数をシフトすることによって、第１無線信号の第１複数サブキャリアと第２無線信号の第２複数サブキャリアを前記２つの隣接する周波数チャネルの間にある重複の周波数領域内で位置合わせするように用いられるベースバンド処理ユニットを含み、
前記第１無線信号と前記第２無線信号は、前記２つの隣接する周波数チャネル上の伝送に用いられ、
前記第１無線信号は、前記無線OFDMシステムの第１周波数チャネル上に伝送されるように用いられ、且つ
前記第１周波数チャネルは、前記２つの隣接する周波数チャネルの１つである通信装置。
【請求項３９】
前記ベースバンド処理ユニットは、前記第１無線信号の第１複数サブキャリアと前記第２無線信号の第２複数サブキャリアを位置合わせさせ、キャリア間干渉を減少するように用いられる請求項３８に記載の通信装置。
【請求項４０】
前記無線信号の中心周波数を変更するのに用いられる周波数合成器を更に含み、前記周波数チャネルによって伝送された前記第１無線信号の前記中心周波数は、前記周波数合成器を調整することでシフトされる請求項３８に記載の通信装置。
【請求項４１】
前記無線信号の中心周波数を構成するように用いられるデジタルシグナルプロセッサを更に含み、前記デジタルシグナルプロセッサを構成することで、前記第１周波数チャネルに伝送するように用いられた前記第１無線信号の中心周波数がシフトされる請求項３８に記載の通信装置。
【請求項４２】
直交周波数分割多重（OFDM）システムの２つの隣接する周波数チャネル上の伝送に用いられる無線信号のサブキャリアを位置合わせする通信装置であって、前記通信装置は、
一組の命令を処理するプロセッサ、及び
前記プロセッサで実行された時、前記プロセッサに変更された既定の中心周波数に基づいて第１周波数チャネルの中心周波数を構成するように命令を出させ、前記第１無線信号の第１複数サブキャリアと第２無線信号の第２複数サブキャリアを前記２つの隣接する周波数チャネルの間にある重複の周波数領域内で位置合わせさせる前記一組の命令を含むメモリを含み、
前記変更された既定の中心周波数は、前記第１周波数チャネルの周波数オフセットと既定の中心周波数の和であり、
前記第１無線信号と前記第２無線信号は、前記２つの隣接する周波数チャネル上の伝送に用いられ、
前記第１無線信号は、前記無線OFDMシステムの第１周波数チャネル上に伝送されるように用いられ、
前記第１無線信号の中心周波数は、前記第１周波数チャネルの前記変更された既定の中心周波数と同じであり、且つ
前記第１周波数チャネルは、前記２つの隣接する周波数チャネルの１つである通信装置。
【請求項４３】
前記メモリは、異なる周波数チャネルのための一組の変更された既定の中心周波数を保存する請求項４２に記載の通信装置。
【請求項４４】
前記通信装置は、直交周波数分割多重（OFDM）を１つまたは１つ以上の周波数分割多元接続（Frequency Division Multiple Access；FDMA）、時分割多元接続（Time Division Multiple Access；TDMA）、または符号分割多元接続（Code Division Multiple Access；CDMA）と結合するように用いられる請求項４２に記載の通信装置。
【請求項４５】
前記周波数チャネルの中心周波数を変更するのに用いられる周波数合成器を更に含み、前記第１周波数チャネルの前記中心周波数は、前記周波数合成器に構成される請求項４２に記載の通信装置。
【請求項４６】
前記周波数合成器は、前記第１無線信号の第１複数サブキャリアと前記第２無線信号の第２複数サブキャリアを位置合わせさせ、キャリア間干渉を減少するように用いられる請求項４２に記載の通信装置。
【請求項４７】
前記無線信号の中心周波数を構成するように用いられるデジタルシグナルプロセッサを更に含み、前記デジタルシグナルプロセッサを構成することで、前記第１周波数チャネルに伝送するように用いられた前記第１無線信号の中心周波数がシフトされる請求項４２に記載の通信装置。
【発明の詳細な説明】
【技術分野】
【０００１】
この出願は、２００８年２月１２日付の出願の「マルチバンド（Multi-band）OFDMAシステムのサブキャリアの位置合わせ構造」と題された米国仮出願番号６１／０２７，８３８から合衆国法典第３５偏第１１９条に従って優先権を主張する、その内容は参照により本明細書に組み込まれる。
【背景技術】
【０００２】
次世代の無線通信システムは、現存する無線通信システムに比べて、より大きなピーク伝送速度（peak transmission rates）を用いている。例えば、４G（第４世代）移動通信システムは、毎秒１０億ビット（Gbps）の伝送率を必要とする。しかし、現存する移動通信システムは、５−１０MHzの帯域幅を用いた毎秒１００メガバイト（Mbps）より小さいピーク伝送速度しか支援しない。
【発明の概要】
【発明が解決しようとする課題】
【０００３】
非常に高い伝送速度を支援している時に、符号間干渉（ISI）を低減するためには、直交周波数分割多重（OFDM）をベースとした多重アクセス（例えば直交周波数分割多重アクセス（OFDMA））が周波数選択性の伝播チャネルを介した次世代の無線通信システム（例えばWiMAX 2.0 or LTE-Advancedシステム）の基本的な伝送技術となる。
【０００４】
また、次世代の無線通信システムは、データ伝送により広い帯域幅（例えば＞４０MHz）を用いて現在のシステムより、より高いピーク伝送速度を達成することもできる。マルチキャリア技術は、複数の無線信号を異なるRFキャリア上に伝送し、より広い帯域幅全体で複数の周波数チャネルを用いることによってこの機能を可能にする。
【課題を解決するための手段】
【０００５】
本発明に基づいた直交周波数分割多重（OFDM）システムの２つの隣接する周波数チャネル上の伝送に用いられる無線信号のサブキャリア（sub-carriers）の位置合わせ方法の実施例は、周波数オフセットの第１無線信号の中心周波数をシフトすることによって、第１無線信号の第１複数サブキャリアと第２無線信号の第２複数サブキャリアを２つの隣接する周波数チャネルの間にある重複の周波数領域内に位置合わせさせるステップを含む。第１無線信号と第２無線信号は、２つの隣接する周波数チャネル上の伝送に用いられる。第１周波数チャネルは、２つの隣接する周波数チャネルの１つである。
【０００６】
本発明に基づいた直交周波数分割多重（OFDM）システムの２つの隣接する周波数チャネル上の伝送に用いられる無線信号のサブキャリアを位置合わせする通信装置の実施例は、周波数合成器、プロセッサと、メモリを含む。周波数合成器は、無線信号の中心周波数を変更するのに用いられる。いくつかの他の実施例では、無線信号の中心周波数は、デジタルシグナルプロセッサ、またはいくつかのベースバンド処理技術によって調整される。メモリは、プロセッサで実行された時、プロセッサに周波数オフセットに基づいて周波数合成器の第１無線信号の中心周波数をシフトするように命令を出させ、第１無線信号の第１複数サブキャリアと第２無線信号の第２複数サブキャリアを２つの隣接する周波数チャネルの間にある重複の周波数領域内に位置合わせさせる一組の命令を含む。第１無線信号と第２無線信号は、２つの隣接する周波数チャネル上の伝送に用いられる。第１周波数チャネルは、２つの隣接する周波数チャネルの１つである。
【０００７】
本発明に基づいた直交周波数分割多重（OFDM）システムの２つの隣接する周波数チャネル上の伝送に用いられる無線信号のサブキャリアを位置合わせする通信装置の実施例は、周波数合成器、ベースバンド処理ユニットを含む。周波数合成器は、無線信号の中心周波数を変更するのに用いられる。ベースバンド処理ユニットは、周波数オフセットに基づいて周波数合成器の第１無線信号の中心周波数をシフトする制御信号を周波数合成器に伝送することによって、第１無線信号の第１複数サブキャリアと第２無線信号の第２複数サブキャリアを２つの隣接する周波数チャネルの間にある重複の周波数領域内に位置合わせするように用いられる。第１無線信号と第２無線信号は、２つの隣接する周波数チャネル上の伝送に用いられる。第１周波数チャネルは、２つの隣接する周波数チャネルの１つである。
【０００８】
本発明に基づいた直交周波数分割多重（OFDM）システムの２つの隣接する周波数チャネル上の伝送に用いられる無線信号のサブキャリアを位置合わせする通信装置の実施例は、周波数合成器、プロセッサと、メモリを含む。周波数合成器は、無線信号の中心周波数を変更するのに用いられる。メモリは、プロセッサで実行された時、プロセッサに変更された既定の中心周波数に基づいて周波数合成器の第１周波数チャネルの中心周波数を構成するように命令を出させ、第１無線信号の第１複数サブキャリアと第２無線信号の第２複数サブキャリアを２つの隣接する周波数チャネルの間にある重複の周波数領域内に位置合わせさせる一組の命令を含む。変更された既定の中心周波数は、周波数オフセットと既定の中心周波数の和である。第１無線信号と第２無線信号は、２つの隣接する周波数チャネル上の伝送に用いられる。第１周波数チャネルは、２つの隣接する周波数チャネルの１つである。
【０００９】
本発明に基づいた直交周波数分割多重（OFDM）伝送の重複したサブキャリア間のデータ伝送を有効にする隣接の周波数帯の無線信号のサブキャリアを位置合わせする周波数オフセット情報を通信する通信装置の実施例は、プロセッサ、入出力（I/O）インターフェースと、メモリを含む。メモリは、一組の命令を含み、プロセッサで実行された時、プロセッサに第１周波数帯と第２周波数帯の間の、第１周波数帯と第２周波数帯間の周波数差値に関連する周波数オフセットを決定させ、第１周波数帯の第１サブキャリアと重複する第２周波数帯の第２サブキャリアに無線信号を伝送し、且つI/Oインターフェースによって決定された周波数オフセットを第２通信装置に伝送する。
【図面の簡単な説明】
【００１０】
１つ以上の実施形態は、添付図面の図中で、同様の参照符号指定が持っている要素が同様の要素を示して、制限されることなく例として説明される。
【図１】本発明に基づいた通信環境の高レベル概略図と通信デバイスの一部の高レベル機能ブロック図である。
【図２】複数の周波数チャネルを介して複数の無線信号を異なるRFキャリア上に伝送するマルチキャリア技術の高レベル概略図である。
【図３】本実施例に基づいたガードサブキャリアを表す高レベルグラフである。
【図４Ａ】位置合わせされていない（mis-aligned）サブキャリアを示すスペクトルの一部の概略図である。
【図４Ｂ】位置合わせされていない（mis-aligned）サブキャリアを示すスペクトルの一部の概略図である。
【図５】本実施例に基づいたスペクトルの一部の概略図である。
【図６】本実施例に基づいた位置合わせされた（aligned）サブキャリアを示すスペクトルの一部の概略図である。
【図７Ａ】１つまたは１つ以上の実施例に基づいた周波数オフセットの決定構成（determination configurations）の高レベル概略図である。
【図７Ｂ】１つまたは１つ以上の実施例に基づいた周波数オフセットの決定構成（determination configurations）の高レベル概略図である。
【図７Ｃ】１つまたは１つ以上の実施例に基づいた周波数オフセットの決定構成（determination configurations）の高レベル概略図である。
【図７Ｄ】１つまたは１つ以上の実施例に基づいた周波数オフセットの決定構成（determination configurations）の高レベル概略図である。
【図８】１つまたは１つ以上の実施例に基づいたオフセット調整システムの少なくとも一部の動作の高レベルプロセスの流れ図である。
【図９】本実施例に基づいたオフセット調整システムの詳細部分の高レベルプロセスの流れ図である。
【図１０Ａ】１つまたは１つ以上の実施例に基づいた高レベルプロセスの流れ図である。
【図１０Ｂ】１つまたは１つ以上の実施例に基づいた高レベルプロセスの流れ図である。
【図１０Ｃ】１つまたは１つ以上の実施例に基づいた高レベルプロセスの流れ図である。
【図１０Ｄ】１つまたは１つ以上の実施例に基づいた高レベルプロセスの流れ図である。
【図１１】本実施例に基づいたキャリア周波数を調整する機能の詳細部分の高レベルプロセスの流れ図である。
【図１２】もう１つの実施例に基づいたキャリア周波数を調整する機能の詳細部分の高レベルプロセスの流れ図である。
【発明を実施するための形態】
【００１１】
図１は、上部分に、本発明に基づいた実施例に関連した通信環境１００の高レベル概略図を表している。通信環境１００は、例えば無線またはセルラーデバイス（cellular device）の携帯機器１０４に動作可能なように通信して接続された、例えば無線またはセルラータワー（cellular tower）の基地局１０２を含む。少なくともいくつかの実施例では、基地局１０２は、有線と、または無線接続のいずれかを用いて携帯機器１０４と通信する。少なくともいくつかの実施例では、基地局１０２は、直交周波数分割多重（OFDM）伝送方式を用いて携帯機器１０４と通信し、周波数分割多元接続（Frequency Division Multiple Access；FDMA）、時分割多元接続（Time Division Multiple Access；TDMA）、符号分割多元接続（Code Division Multiple Access；CDMA）、または上述の多元接続の技術の組み合わせと結合し、同一のネットワーク内で複数の携帯機器を提供することができる。もう１つの実施例では、異なる伝送方式が用いられることができる。
【００１２】
基地局１０２は、タワーで表され、携帯機器１０４は携帯電話で表されているが、他の構成も本実施例の範囲内であるものと考えることができる。また、少なくともいくつかの実施例では、基地局１０２と携帯機器１０４間の送信機と受信機の役割は再構成されることができる。
【００１３】
図２は、複数の周波数チャネルを介して複数の無線信号を異なるRFキャリア上に伝送するマルチキャリア技術の高レベル概略図である。OFDMマルチキャリアシステムでは、送信機と受信機は、同時に異なる周波数チャネル上の無線信号を伝送する複数の無線周波数（RF）を処理する。無線信号は、OFDMAに基づいた送信機、またはOFDMベースの多重アクセス技術によって発生された波形である。各RFキャリアの周波数位置は、各周波数チャネルによって伝送された無線信号の中心周波数であり、無線信号の送信と受信の間、送信機と受信機によって構成される。
【００１４】
図３は、周波数チャネルの両端にガードサブキャリア３０４A〜Eをそれぞれ有する一連の隣接の周波数チャネル３０２A〜Dの高レベルグラフを表している。グラフ３００の垂直軸は、周波数領域に延伸し、水平軸は、時間を表す。特に、ガードサブキャリア３０４B〜Dは、ガードサブキャリアに隣接した周波数チャネルのガードサブキャリアの一部を含む。例えば、ガードサブキャリア３０４Bは、周波数チャネル３０２Aのガードサブキャリアの少なくとも一部と周波数チャネル３０２Bのガードサブキャリアの少なくとも一部を含む。周波数チャネル３０２A〜Dは、OFDMA伝送方式に基づいて伝送される。本発明に基づいた少なくとも１つの実施例に基づいて、上述のようにガードサブキャリア３０４B〜Dもデータ伝送に用いられることができる。少なくともいくつかの実施例では、周波数チャネルのガードサブキャリアの間隔は実質的に同じである。
【００１５】
図４Aと４Bは、隣接の周波数チャネルによって伝送された無線信号の重複したサブキャリアが位置合わせされていない（mis-aligned）例えばグラフ３００に示される通信スペクトル（communication spectrum）の一部を表している。図４Aは、それぞれ中心周波数４０４、４０６をそれぞれ含む第１周波数チャネル４００と第２隣接の周波数チャネル４０２を表している。第１周波数チャネル４００は、第１周波数チャネル４００の遠位端（distal end）にそれぞれ位置する１対のガードサブキャリア４０８、４１０も含む。第２周波数チャネル４０２は、第２周波数チャネルの遠位端にそれぞれ位置される１対のガードサブキャリア４１２、４１４も同様に含む。図に示されるように、ガードサブキャリア４１２は、少なくとも部分的にガードサブキャリア４１２の一部を覆う。
【００１６】
よって、図４Bに表されたように、第２周波数チャネル４０２のガードサブキャリア４１２は、第１周波数チャネル４００のガードサブキャリア４１０と他のサブキャリアとに位置合わせされていない、即ち直交していないため、キャリア間干渉が第１周波数チャネル４００のサブキャリアで生じる。つまり、ガードサブキャリア４１０と４１２は、データ伝送に用いられることができない可能性がある。
【００１７】
それに対して、図５は、重複されて位置合わせされたガードサブキャリア上にデータ伝送を可能にする第１と第２周波数チャネルの重複したガードサブキャリアを表している。即ち、第１と第２周波数チャネルの重複したガードサブキャリアは、第１無線信号のサブキャリアの少なくとも一部と第２無線信号のサブキャリアの少なくとも一部に分布された周波数ドメイン領域を含む。少なくともいくつかの実施例では、データ伝送に用いられる重複した周波数領域は、データ転送禁止に初期設定され、即ち、重複した周波数領域は、データ伝送に用いられない。
【００１８】
図６は、少なくとも１つの実施例に基づいた重複した隣接の周波数チャネルを表している。図６は、上部に図４Aで表された２つの周波数チャネルのグラフ表示を表しており、即ち、第１周波数チャネル４００は、チャネルの遠位端に２対のガードサブキャリア４０８、４１０を有し、第２周波数チャネル４０２は、チャネルの遠位端に２対のガードサブキャリア４１２、４１４を有し、各周波数チャネルは、それぞれ中心周波数４０４、４０６を有する。
【００１９】
重複のガードサブキャリア４１０と４１２間の差異は、周波数オフセット６００、即ち、Δf*と呼ばれる。周波数オフセット６００は、第１周波数チャネル４００のガードサブキャリアが第２周波数チャネル４０２のガードサブキャリアからオフセットされた量である。本発明者の定義に基づいて、周波数オフセット６００は、第２周波数チャネル４０２の中心周波数４０６が調整、例えばシフトされるべき量も表し、第１周波数チャネル４００のガードサブキャリア４１０と重複しているガードサブキャリア４１２が位置合わせされるようにする。即ち、周波数オフセット６００と等しい量によって中心周波数４０６を変更して、無線信号伝送に用いられる新しい中心周波数を発生し、ガードサブキャリア４１２がガードサブキャリア４１０と位置合わせされる方式で重複され、且つ重複されたガードサブキャリア領域、即ちガードサブキャリア４１０、４１２のサイズ、または例えばガードサブキャリア領域３０４B（図３）内のデータ伝送を可能にする。
【００２０】
少なくともいくつかの実施例では、周波数オフセット６００は、サブキャリア間隔に関連した少数値である。少なくともいくつかの更に進んだ実施例では、周波数オフセット６００は、第１周波数チャネル４００のサブキャリア間隔に関連した少数値である。少なくともいくつかの他の実施例では、周波数オフセット６００は、第１周波数チャネル４００のサブキャリア間隔と一定数量のサブキャリア間隔の少数値であり、サブキャリア間隔の数は、少なくとも１の値である。少なくともいくつかの実施例では、周波数オフセット６００は、時不変値である。
【００２１】
少なくともいくつかの実施例では、周波数オフセット６００は、重複の周波数領域の第１周波数チャネル４００のサブキャリアと重複の周波数領域の第２周波数チャネル４０２のサブキャリア間の最小周波数差値（Δfmin）である。少なくともいくつかの更に進んだ実施例では、周波数オフセット６００は、最小周波数差値と第１周波数チャネル４００のサブキャリアの間隔の数を加えたものである。少なくともいくつかの実施例では、周波数オフセット６００は、最小周波数差値と第１周波数チャネル４００のサブキャリアの間隔の数を加えたもので、間隔の数は、０より大きいかまたは０と等しい。例えば、周波数オフセット６００は、N x Δf＋Δfminであり、Nは、間隔の数である。少なくともいくつかの実施例では、周波数オフセット６００は、第１周波数チャネル４００のサブキャリアの間隔の数引く最小周波数差値であり、間隔の数は、１より大きいかまたは１と等しい。例えば、周波数オフセット６００は、M x Δf−Δfminであり、Mは、間隔の数である。
【００２２】
図６は、下部に第１周波数チャネル４００と変更された第２周波数チャネル４０２のグラフ表示を表しており、第２周波数チャネルによって伝送された無線信号の中心周波数４０６が周波数オフセット６００に基づいて調整されている。よって、図６の下部は、重複されて位置合わせされたガードサブキャリア４１０、４１２を表している。
【００２３】
図１に戻ってください。図１は、図の下部を表しており、送受信機システム１１０の高レベル機能ブロック図が携帯機器１０４と関連して用いられることができる。少なくともいくつかの実施例では、送受信機システム１１０は、基地局１０２に関連して用いられることができる。
【００２４】
送受信機システム１１０は、プロセッサ、ベースバンドプロセッサ、またはコントローラベースのデバイス１１２、入出力（I/O）インターフェース（I/F）１１４（例えば送信機と、または受信機）と、メモリ１１６を含み、バス１１８とそれぞれ通信して接続される。メモリ１１６（コンピュータ読み取り可能媒体としても言われることができる）は、バス１１８に接続され、プロセッサ１１２で実行されるようにデータと情報と命令を保存する。メモリ１１６は、命令の実行がプロセッサ１１２によって実行される間、一時的な変更、またはその他の中間情報を保存するのに用いられることもできる。メモリ１１６は、バス１１８に接続された読み出し専用記憶装置（ROM）または他の静的記憶装置（static storage device）を含むことができ、静的情報と命令をプロセッサ１１２に保存する。メモリ１１６は、保存のための静的と、または動的装置、例えば、光学、磁気と、または電子媒体と、またはその組み合わせを含むことができる。
【００２５】
I/O I/F１１４は、送信機、受信機と、または組み合わされた送受信機を含むことができ、基地局１０２と携帯機器１０４間の相互通信を可能にする。少なくともいくつかの実施例では、I/O I/F１１４は、送受信機システム１１０から伝送された無線信号の中心周波数を変更するようにアレンジされた周波数合成器を含む。周波数合成器は、プロセッサ１１２から受けた１つまたは１つ以上の命令に応じ、無線信号の中心周波数をシフトする。少なくともいくつかの実施例では、周波数合成器は、周波数オフセット６００に対応する量で中心周波数をシフトする。
【００２６】
メモリ１１６は、隣接の周波数チャネル間の周波数オフセットを決定する１つまたは１つ以上の実施例に基づいたオフセット調整システム１２０を含み、決定された周波数オフセットを用いて隣接の周波数チャネルのガードサブキャリアを位置合わせし、少なくとも一部の位置合わせされたガードサブキャリア上のデータ伝送を可能にする。
【００２７】
少なくともいくつかの実施例では、プロセッサまたはコントローラベースのデバイス１１２は、上述のI/O I/F１１４と、特に上述の周波数合成器に通信して接続されたベースバンド処理ユニットによって代替／補充される。ベースバンド処理ユニットは、制御信号を周波数合成器に伝送することで、周波数合成器に第１周波数チャネル４００のガードサブキャリアを第２周波数チャネル４０２のガードサブキャリアと位置合わせさせ、周波数合成器に周波数オフセット６００と等しい量で第１周波数チャネルの中心周波数をシフトさせる。
【００２８】
図７A〜７Dは、図１の構成要素に関する１つまたは１つ以上の実施例に基づいた周波数オフセット６００を決定する４つの方法を表している。少なくともいくつかの実施例では、図７A〜７Dのそれぞれは、重複されて位置合わせされていない隣接の周波数チャネルのガードサブキャリアの決定後に生じる。少なくともいくつかの実施例では、周波数オフセット６００は、第１周波数チャネルの次の周波数チャネルのそれぞれ、即ち周波数チャネル３０２B‐D（図３）に用いられる。少なくともいくつかの実施例では、周波数オフセット情報と、または周波数オフセット６００は、ブロードキャスト、マルチキャストと、またはユニキャストの方式の少なくとも１つで伝送される。
【００２９】
図７Aは、基地局１０２が周波数オフセット情報（７０２）を携帯機器１０４に伝送する受信専用（reception-only）の実施例７００を表している。少なくともいくつかの実施例では、周波数オフセット情報は、周波数オフセット６００を含み、少なくともいくつかの実施例では、周波数オフセット情報は、１つまたは１つ以上の所定のオフセット値の少なくとも１つを指定する周波数オフセットインジケータ（a frequency offset indicator）を含む。少なくともいくつかの実施例では、基地局１０２は、周波数オフセット情報（７０２）を携帯機器１０４に繰り返しマルチキャストする。少なくともいくつかの実施例では、基地局１０２は、周波数オフセット情報を携帯機器１０４に周期的にマルチキャストする。少なくともいくつかの実施例では、基地局１０２は、周波数オフセット情報を１つまたは１つ以上の携帯機器１０４にブロードキャストする。
【００３０】
周波数オフセット情報の受信に応じて、携帯機器１０４は、周波数オフセットを第２周波数チャネルによって伝送された無線信号の中心周波数に用い、重複したガードサブキャリアを位置合わせさせ、重複したガードサブキャリアを用いてデータ伝送能力を可能にする。少なくともいくつかの実施例では、重複されたガードサブキャリアが位置合わせされても、データ伝送は、１つまたは１つ以上の他のパラメータ（例えば低いトラフィック負荷（low traffic load））によっては重複されたガードサブキャリアを用いて行われない可能性がある。
【００３１】
図７Bは、携帯機器１０４、即ち、周波数オフセット情報の受信機が基準信号（７１２）を基地局１０２に伝送する、受信機基準伝送（receiver reference transmission）（測距とも言われる）の実施例７１０を表している。少なくともいくつかの実施例では、携帯機器１０４は、基準信号（７１２）を基地局１０２に周期的に伝送する。少なくともいくつかの実施例では、携帯機器１０４は、基準信号（７１２）をブロードキャストの方式で伝送する。
【００３２】
携帯機器１０４から伝送された基準信号の受信に応じて、基地局１０２は周波数オフセット６００を決定し、それに応えて周波数オフセット情報（７０２）を携帯機器１０４に伝送する。少なくともいくつかの実施例では、基地局１０２は、携帯機器１０４から受信した基準信号に基づいて周波数オフセット６００を推定する。少なくともいくつかの実施例では、基地局１０２は、周波数オフセット情報（７０２）を携帯機器１０４に繰り返し伝送する。少なくともいくつかの実施例では、基地局１０２は、周波数オフセット情報を携帯機器１０４に周期的に伝送する。少なくともいくつかの実施例では、基地局１０２は、周波数オフセット情報を１つまたは１つ以上の携帯機器１０４にブロードキャストする。
【００３３】
周波数オフセット６００の受信に応じて、携帯機器１０４は、周波数オフセットを第２周波数チャネルによって伝送された無線信号の中心周波数に用い、重複したガードサブキャリアを位置合わせさせ、重複したガードサブキャリアによってデータ伝送能力を可能にする。
【００３４】
図７Cは、携帯機器１０４、即ち、周波数オフセット６００の受信機が周波数オフセットのリクエスト（７２２）を基地局１０２に伝送する、受信機リクエスト（receiver request）の実施例７２０を表している。少なくともいくつかの実施例では、携帯機器１０４は、周波数オフセット６００のリクエスト（７２２）を基地局１０２に繰り返し伝送する。少なくともいくつかの実施例では、携帯機器１０４は、周波数オフセット６００のリクエストを基地局１０２に周期的に伝送する。少なくともいくつかの実施例では、携帯機器１０４は、周波数オフセット６００のリクエストを少なくとも１つの基地局１０２にブロードキャストする。
【００３５】
携帯機器１０４から伝送された周波数オフセット６００のリクエストの受信に応じて、基地局１０２は第１周波数チャネルによって、それに応えて周波数オフセット情報（７０２）を携帯機器１０４に伝送する。少なくともいくつかの実施例では、基地局１０２は、周波数オフセット情報（７０２）を携帯機器１０４に繰り返し伝送する。少なくともいくつかの実施例では、基地局１０２は、周波数オフセット情報を携帯機器１０４に周期的に伝送する。少なくともいくつかの実施例では、基地局１０２は、周波数オフセット情報を１つまたは１つ以上の携帯機器１０４にブロードキャストする。
【００３６】
周波数オフセット情報の受信に応じて、携帯機器１０４は、周波数オフセットを第２周波数チャネルによって伝送された無線信号の中心周波数に用い、重複したガードサブキャリアを位置合わせさせ、重複したガードサブキャリアを用いてデータ伝送を可能にする。
【００３７】
図７Dは、基地局１０２が１つまたは１つ以上の基準信号（７３２）を１つまたは１つ以上の携帯機器１０４に伝送するブロードキャスト測距（broadcast ranging）実施例７３０を表している。
【００３８】
基地局１０２から伝送された基準信号の受信に応じて、携帯機器１０４は周波数オフセット６００を決定する。基準信号は、第２周波数チャネルによって伝送され、基準信号のガードサブキャリアは、第１周波数チャネルに伝送された無線信号のガードサブキャリアに既に位置合わせされている。少なくともいくつかの実施例では、携帯機器１０４は、基地局１０２から受信した基準信号に基づいて周波数オフセット６００を推定する。少なくともいくつかの実施例では、基地局１０２は、基準信号（７３２）を繰り返しブロードキャストする。少なくともいくつかの実施例では、基地局１０２は、基準信号（７３２）を周期的にブロードキャストする。
【００３９】
周波数オフセット６００の受信に応じて、携帯機器１０４は、周波数オフセットを第２周波数チャネルによって伝送された無線信号の中心周波数に用い、重複したガードサブキャリアを位置合わせさせ、重複したガードサブキャリアを用いてデータ伝送を可能にする。
【００４０】
少なくともいくつかの実施例では、少なくとも受信専用の実施例と受信機リクエストの実施例の基地局１０２と携帯機器１０４間の周波数オフセット６００のリクエストと伝送は、１つまたは１つ以上の実施例の基地局と携帯機器通信リンク間のメディアアクセス制御層動作（media access control layer operation）の一部となる。少なくともいくつかの実施例では、基地局１０２と携帯機器１０４間の周波数オフセット６００のリクエストと、または伝送（ブロードキャストまたは非ブロードキャストのどちらでも）は、１つまたは１つ以上の実施例のメディアアクセス制御層動作の一部となる。
【００４１】
図８は、１つまたは１つ以上の実施例に基づいたオフセット調整システム１２０（図１）の少なくとも一部の動作の高レベルプロセスの流れ図を表している。部分８００は、一組の実行可能命令（例えばメモリ１１６内に保存される命令）を含み、プロセッサ１１２によって実行された時、プロセッサに１つまたは１つ以上の実施例に基づいたプロセスの流れの動作を実行させる。少なくともいくつかの実施例では、部分８００と関連して述べられた機能は、携帯機器１０４で実行される。少なくともいくつかの他の実施例では、少なくとも部分８００と関連して述べられた少なくともサブセットの機能は、基地局１０２で実行されることができる。少なくともいくつかの実施例では、第２周波数チャネルの中心周波数は、予め定義され（例えば伝送前に）、周波数オフセット６００に組み込まれて、ガードサブキャリアが位置合わせされる。既定の中心周波数は、メモリ（例えば携帯機器１０４と、または基地局１０２のメモリ１１６）に保存されることができる。いくつかの模範的な実施例では、第２周波数チャネルの中心周波数は、伝送前に構成され、第２周波数チャネルの変更された既定の中心周波数は、メモリに保存されることができ、変更された既定の中心周波数は、第２周波数チャネルの既定の中心周波数と既定の周波数オフセット（この場合周波数オフセット６００）の和である。第２周波数チャネルの既定の中心周波数は、最初は標準に定義され、第２周波数チャネルの変更された既定の中心周波数は、無線信号が伝送に適応される前に第２周波数チャネルの周波数オフセットに組み込まれるように構成される。第２周波数チャネル上に伝送する無線信号は変更された既定の中心周波数に基づく。注意するのは、周波数オフセットは、各周波数チャネルに対して通常異なり、周波数オフセットは、異なる周波数チャネル幅の評価、隣接の周波数チャネルの分離（separation）、サブキャリア間隔のような物理層パラメータと、当業者に知られているさまざまな要素によって通常得られる。
【００４２】
制御の流れは、機能８０２で始まり、プロセッサ１１２による一組の命令の実行は、プロセッサに基地局１０２とのプライマリキャリア接続（primary carrier connection）を確立させる。機能８０２の実行中、プロセッサ１１２は、I/O I/F１１４に基地局１０２と通信させ、プライマリキャリアをスキャンし、プライマリキャリアと同期化して、プライマリキャリアと関連したパラメータを得て、プライマリキャリアに測距を行う。
【００４３】
プライマリキャリアは、基地局と携帯機器によって用いられる周波数チャネルであり、トラフィックと物理層／メディアアクセス制御（PHY／MAC）層の制御情報を交換し、例えばネットワークエントリなどの全ての基本的な移動局の動作の制御機能に用いられる。少なくともいくつかの実施例では、各移動局は、１つの基地局と通信している時、１つのプライマリキャリアのみ有する。
【００４４】
図９は、本実施例に基づいた機能８０２（図８）の詳細部分の高レベルプロセスの流れ図を表している。制御の流れは、スキャン機能９００で開始し、プロセッサ１１２による一組の命令の実行は、I/O I/F１１４と連結したプロセッサ１１２に基地局１０２と通信しているプライマリキャリアの受けたスペクトルをスキャンさせる。プライマリキャリアを検出した後、制御の流れは同期機能９０２を続行する。
【００４５】
同期化機能９０２中、プロセッサ１１２による一組の命令の実行は、I/O I/F１１４と連結したプロセッサ１１２に基地局１０２からのプライマリキャリアと携帯機器１０４を同期させる。同期の完成後、制御の流れは、パラメータ機能９０４を得るように続行される。
【００４６】
パラメータ機能９０４を得る間、プロセッサ１１２は、プライマリキャリアに関連したパラメータ（即ち第１周波数チャネル４００）を得る。例えばタイミング情報（例えばフレーム境界、シンボル境界（symbol boundary））、周波数情報（例えば中心周波数、チャネル帯域幅と、適用されるのに必要な周波数オフセット）、周波数チャネルの種類、測距チャネルの位置などである。
【００４７】
測距機能９０６中、I/O I/F１１４と連結したプロセッサは、通信のためのプライマリ通信チャネルの中心周波数を決定する。測距機能９０６の完成の時、携帯機器１０４と基地局１０２間の通信接続は、プライマリキャリア、（即ち第１周波数チャネル４００）を用いて確立される。
【００４８】
図８を再度参照下さい。プライマリキャリア接続が確立された後、制御の流れは、マルチキャリア動作決定機能８０４中、プロセッサ１１２は、マルチキャリア（即ち例えば第２周波数チャネル４０２の１つ以上の周波数チャネル）が基地局１０２と関連して動作中であるかどうかを決定する。移動局がプライマリキャリアによって基地局と初期のネットワークエントリを行った時、基地局と移動局は互いに機能情報（capability information）を交換する。基地局は、マルチキャリア伝送が多くの考慮（例えば、データ速度要求、トラフィック負荷、移動局ハードウェア能力など）に基づいて有効にされる必要があるかどうかを決定することができる。
【００４９】
機能８０４の決定の結果が否定（“NO”）である場合、制御の流れは、データ伝送機能８０６を続行し、プロセッサ１１２による一組の命令の実行は、プロセッサにI/O I/F １１４が有効な通信チャネル（即ち、プライマリ通信チャネルのみの、または１つまたは１つ以上のセカンダリ（secondary）キャリアと結合したプライマリキャリアのどちらかを用いて）を用いてデータを伝送するようにさせる。
【００５０】
セカンダリキャリアは、基地局の特定配分命令（allocation commands）とプライマリキャリアで通常受ける規則によって、移動局がトラフィックに用いることができる追加の周波数チャネルである。
【００５１】
一方では、機能８０４の決定の結果が肯定（“YES”）である場合、制御の流れは、周波数オフセット機能８０８を決定するように続行され、プロセッサ１１２による一組の命令の実行は、プロセッサに周波数オフセット６００を決定させる。即ち、第２周波数帯域のガードサブキャリアが第１周波数チャネルのガードサブキャリアと重複して位置合わせするように、第２周波数チャネルがオフセットされた量である。
【００５２】
周波数オフセット６００が決定された後、制御の流れは、周波数機能８１０の応用を続行し、プロセッサ１１２による一組の命令の実行は、プロセッサに決定された周波数オフセットをセカンダリ通信チャネルに応用させる。即ち、第２周波数チャネル４０２に伝送された無線信号の中心周波数は、周波数オフセットによって変更される。
【００５３】
以下に述べられるように図１０A〜１０Dは、機能８０８と８１０の特定の詳細例を表している。
【００５４】
決定された周波数オフセットがセカンダリキャリアによって伝送された無線信号の中心周波数に用いられた後、制御の流れは、セカンダリキャリア機能８１２を有効にする。セカンダリキャリア機能８１２の有効を含む一組の命令の実行中、プロセッサ１１２は、通信のために携帯機器１０４によってセカンダリキャリア、即ち、第２周波数チャネル４０２の使用を可能にする。制御の流れは上述のように実行するデータ機能８０６の伝送を実行する。
【００５５】
図１０A〜１０Dは、機能８０８、８１０に関する図７A〜７Dの実施例にそれぞれ対応し、高レベルプロセスの流れ図を表している。
【００５６】
図１０Aは、少なくとも一部の受信専用実施例１０００を表しており、プロセッサ１１２による一組の命令の実行は、携帯機器１０４に機能１００２に基づいて基地局１０２からのブロードキャスト情報（図７Aの７０２）から周波数オフセット６００を受けさせる。即ち、携帯機器は、ブロードキャスト周波数オフセット情報６００の受信に応じて機能１００２を実行する。少なくともいくつかの実施例では、周波数オフセット情報６００の受信に応え、プロセッサ１１２が周波数オフセットをメモリ１１６に保存することができる。周波数オフセット情報６００の受信後、制御の流れは、機能１００４を続行する。
【００５７】
機能１００４の実行中、プロセッサ１１２は、周波数オフセット６００に関連する量によって第２周波数チャネル４０２を変更させる。少なくともいくつかの実施例では、変更は、周波数オフセット６００と等しい量による。少なくともいくつかの実施例では、上述の周波数オフセット情報は、周波数オフセット６００の代わりに用いられることができる。
【００５８】
図１０Bは、少なくとも一部の受信基準伝送実施例１０１０を表しており、プロセッサ１１２による一組の命令の実行は、携帯機器１０４に機能１０１２に基づいて基準信号（図７Bの７１２）を基地局１０２に伝送させる。少なくともいくつかの実施例では、携帯機器１０４は、１つ以上の基準信号を基地局１０２に伝送する。少なくともいくつかの実施例では、携帯機器１０４は、基準信号を既定の中心周波数情報に基づいて変更された、変更の中心周波数を用いた基地局に伝送する。少なくともこの特定実施例に基づいて、変更された中心周波数を用いて伝送された基準信号の受信に応え、基地局１０２は、変更された中心周波数に基づいてサブキャリアを位置合わせするのに、追加の周波数オフセットが必要かどうか、且つ追加の周波数オフセットがどのぐらいの必要かを決定し、追加の周波数オフセットを携帯機器１０４に伝送する。
【００５９】
制御の流れは、機能１０１４を続行し、一組の命令の実行は、基地局１０２からの伝送された周波数オフセット６００（図７Bの７０２）の受信に応えて発生し、周波数オフセットを受信する。この実施例に基づいて、周波数オフセット６００は、携帯機器１０４からの伝送された基準信号に基づいた基地局１０２によって決定される。周波数オフセット６００の受信後、制御の流れは、機能１００４を続行する。
【００６０】
機能１００４の実行中、プロセッサ１１２は、周波数オフセット６００に関連した量で第２周波数チャネル４０２の変更をする。少なくともいくつかの実施例では、変更は、周波数オフセット６００と等しい量による。少なくともいくつかのもう１つの実施例では、上述の周波数オフセット情報は、周波数オフセット６００の代わりに用いられることができる。
【００６１】
図１０Cは、少なくとも一部の受信リクエスト実施例１０２０を表しており、プロセッサ１１２による一組の命令の実行は、携帯機器１０４に機能１０２２に基づいて周波数オフセット６００のためのリクエストを（図７Cの７２２）を基地局１０２に伝送させる。
【００６２】
周波数オフセットのリクエストの受信後、制御の流れは、機能１０２４を続行し、一組の命令の実行は、基地局１０２からの伝送された周波数オフセット６００（図７Bの７０２）の受信に応えて発生し、周波数オフセットを受信する。この実施例に基づいて、周波数オフセット６００は、携帯機器１０４からの伝送された基準信号に基づいた基地局１０２によって事前に決定されている。周波数オフセット６００の受信後、制御の流れは、機能１００４を続行する。
【００６３】
機能１００４の実行中、プロセッサ１１２は、周波数オフセット６００に関連した量で第２周波数チャネル４０２によって伝送された無線信号の変更をする。少なくともいくつかの実施例では、変更は、周波数オフセット６００と等しい量による。少なくともいくつかのもう１つの実施例では、上述の周波数オフセット情報は、周波数オフセット６００の代わりに用いられることができる。
【００６４】
図１０Dは、少なくとも一部のブロードキャスト測距実施例１０３０を表しており、プロセッサ１１２による一組の命令の実行は、携帯機器１０４に機能１０３２に基づいて基地局１０２（図７Dの７３２）からの伝送された基準信号を受けさせる。少なくともいくつかの実施例では、携帯機器１０４は、基地局１０２から１つ以上の基準信号を受ける。制御の流れは、周波数オフセット機能１０３４の決定を続行する。
【００６５】
周波数オフセット機能１０３４の決定中、携帯機器１０４は、基地局１０２から受信した伝送の基準信号に基づいて周波数オフセット６００を決定する。少なくともいくつかの実施例では、受信した伝送の基準信号は、変更された中心周波数を含んで、隣接の周波数チャネルによって伝送された無線信号のサブキャリアが位置合わせされる。即ち、基準信号は、周波数オフセット６００または周波数オフセット情報に関連した量によって変更される。このような実施例に基づいて、携帯機器１０４は、受信した伝送の基準信号に基づいて変更された中心周波数を決定する。少なくともいくつかのこのような実施例では、携帯機器１０４は、基地局１０２からの受信した伝送の基準信号に基づいて周波数オフセットを推定し、推定を伝送するか、またはいくつかの実施例で変更された中心周波数に基づいた信号を基地局に伝送する。基地局１０２は、携帯機器１０４からの受信した信号に基づいて、携帯機器が変更された中心周波数を変更し、決定結果を携帯機器に伝送するべきかを決定する。少なくともいくつかの実施例では、基地局１０２は、変更量を携帯機器１０４に伝送する。少なくともいくつかの実施例では、携帯機器１０４は、基地局１０２からの変更と確認を必要とすることなく、受信した伝送の基準信号に基づいて周波数オフセット６００を決定することができる。少なくともいくつかの実施例では、携帯機器１０４と基地局１０２の両方は、１つまたは１つ以上の周波数チャネルのための周波数オフセット情報をメモリに保存する（携帯機器１０４の１１６と基地局１０２のメモリ）。少なくともいくつかのこのような実施例では、保存された周波数オフセット情報は、周波数オフセット６００を含むことができる。少なくともいくつかの他のこのような実施例では、基地局１０２と、または携帯機器１０４は、所定の周波数オフセット値を最初の中心周波数に組み込んだ１つまたは１つ以上の周波数チャネルのそれぞれの変更された中心周波数情報を保存することができる。このような実施例に基づいて、周波数オフセット情報または周波数オフセット６００は、携帯機器１０４と基地局１０２間に伝送されないことが必要である。少なくともいくつかのこのような実施例では、携帯機器１０４は、一組の変更された中心周波数チャネルを用いて周波数オフセット６００を最初の中心周波数内に組み込むことができる。少なくともいくつかの実施例では、基地局１０２は、携帯機器がどの変更された中心周波数を用いるかを示すために、インデックス（index）または他のインジケータ（indicator）を携帯機器１０４に伝送することができる。上述に基づいて、携帯機器１０４は、１つまたは１つ以上の保存された既定の中心周波数（周波数オフセットを組み込んだ）を用いることができるか、または携帯機器は、基地局１０２からの受信した伝送の基準信号に応えて中心周波数を変更することができる。少なくともいくつかの実施例では、周波数オフセット６００の決定に応えて、プロセッサ１１２は、周波数オフセットをメモリ１１６に保存することができる。周波数オフセット６００の決定後、制御の流れは機能１００４を続行する。
【００６６】
機能１００４の実行中、機能１００４の実行中、プロセッサ１１２は、周波数オフセット６００に関連した量で第２周波数チャネル４０２の変更をする。少なくともいくつかの実施例では、変更は、周波数オフセット６００と等しい量による。少なくともいくつかのもう１つの実施例では、上述の周波数オフセット情報は、周波数オフセット６００の代わりに用いられることができる。
【００６７】
図１１は、セカンダリキャリアの中心周波数を調整する機能１００４（図１０A〜１０C）の少なくとも一部１１１０のプロセスの流れ図を表しており、一組の命令は、プロセッサ１１２によって実行され、携帯機器１０４に特定の機能を実行させる。制御の流れは機能１１０２で始まり、例えばI/O I/F１１４の携帯機器１０４は、基地局１０２から受けたメディアアクセス制御（MAC）層のメッセージから周波数オフセット６００を受ける。周波数オフセット６００の受信後、制御の流れは機能１１０４を続行する。
【００６８】
機能１１０４の実行中、プロセッサ１１２は、周波数オフセット６００が携帯機器１０４のファームウェアドライバコントローラ（firmware driver controller）に提供されるようにする。周波数オフセット６００がファームウェアドライバコントローラに提供された後、機能１１０６を含む一組の命令を実行しているプロセッサ１１２は、ファームウェアドライバに周波数合成器を制御させ、受けた周波数オフセットに基づいて第２周波数チャネル４０２のキャリア周波数を調整する。
【００６９】
図１２は、キャリア周波数を調整する機能１００４（図１０D）の少なくとも一部１２００のプロセスの流れ図を表しており、一組の命令は、プロセッサ１１２によって実行され、携帯機器１０４に特定の機能を実行させる。制御の流れは機能１２０２で始まり、例えばI/O I/F１１４の携帯機器１０４は、基地局１０２から受けた基準信号を検出し、検出された基準信号に基づいて周波数オフセット６００を決定する。少なくともいくつかの実施例では、携帯機器１０４は、検出された基準信号に基づいて、推定によって周波数オフセット６００を決定する。周波数オフセット６００の決定後、制御の流れは機能１２０４を続行する。
【００７０】
機能１１０４の実行中、プロセッサ１１２は、周波数オフセット６００が携帯機器１０４のファームウェアドライバコントローラ（firmware driver controller）に提供されるようにする。周波数オフセット６００がファームウェアドライバコントローラに提供された後、機能１２０６を含む一組の命令を実行しているプロセッサ１１２は、ファームウェアドライバに周波数合成器を制御させ、決定された周波数オフセットに基づいて第２周波数チャネル４０２によって伝送された無線信号の中心周波数を調整する。
【００７１】
少なくともいくつかの実施例では、携帯機器１０４は、１つまたは１つ以上の上述の実施例を用いてもう１つの携帯機器と通信することができる。同様に基地局１０２は、１つまたは１つ以上の上述の実施例を用いてもう１つの基地局と通信することができる。少なくともいくつかの実施例では、データ伝送は、データと、または音声のどちらか、または両方を含む。少なくともいくつかの実施例では、２つの隣接する周波数チャネル上の伝送に用いられる無線信号のサブキャリアの位置合わせは、キャリア間干渉を減少する機能を有する。注意するのは、文中の通信設備は、基地局、携帯機器、または中継局（network relay station）であることができる。
【００７２】
ここに述べられた実施例に関連して記述される方法の機能は、ハードウェア、ソフトウェア、またはその組み合わせに統合されることができる。実行の命令を含むソフトウェアは、揮発性と、または不揮発性メモリを含むコンピュータ読み取り可能な記録媒体、例えばランダムアクセスメモリ、読み出し専用メモリ、書き込み可能メモリ（programmable memory）、ハードディスク、コンパクトディスク、または処理装置による、直接または間接的に読み込み可能な記憶媒体の他の形態に存在することができる。
【図１】
2011512089.tif 000003
【図２】
2011512089.tif 000004
【図３】
2011512089.tif 000005
【図４Ａ】
2011512089.tif 000006
【図４Ｂ】
2011512089.tif 000007
【図５】
2011512089.tif 000008
【図６】
2011512089.tif 000009
【図７Ａ】
2011512089.tif 000010
【図７Ｂ】
2011512089.tif 000011
【図７Ｃ】
2011512089.tif 000012
【図７Ｄ】
2011512089.tif 000013
【図８】
2011512089.tif 000014
【図９】
2011512089.tif 000015
【図１０Ａ】
2011512089.tif 000016
【図１０Ｂ】
2011512089.tif 000017
【図１０Ｃ】
2011512089.tif 000018
【図１０Ｄ】
2011512089.tif 000019
【図１１】
2011512089.tif 000020
【図１２】
2011512089.tif 000021
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
直交周波数分割多重（OFDM）システムの２つの隣接する周波数チャネル上の伝送に用いられる無線信号のサブキャリアの位置合わせ方法であって、前記方法は、周波数オフセットの第１無線信号の中心周波数をシフトすることによって、前記第１無線信号の第１複数サブキャリアと第２無線信号の第２複数サブキャリアを２つの隣接する周波数チャネルの間にある重複の周波数領域内で位置合わせさせるステップを含み、前記第１無線信号と前記第２無線信号は、前記２つの隣接する周波数チャネル上の伝送に用いられ、前記第１周波数チャネルは、前記２つの隣接する周波数チャネルの１つである方法。
【請求項２】
前記無線OFDMシステムは、同時に異なる周波数チャネル複数無線キャリア上のデータ伝送を処理し、各周波数チャネルは、既定の中心周波数を含み、第１無線信号の中心周波数のシフトは前記第１周波数チャネルの第１既定の中心周波数に基づき、前記第１無線信号の前記シフトされた中心周波数は、前記第１無線信号の前記第１既定の中心周波数と異なる請求項１に記載の方法。
【請求項３】
前記重複の周波数領域は、データ転送禁止に初期設定されたガードサブキャリア領域であり、前記第１無線信号の前記第１複数サブキャリアの少なくとも一部と前記第２無線信号の前記第２複数サブキャリアの少なくとも一部に分布される請求項１に記載の方法。
【請求項４】
前記重複の周波数領域内の前記第１無線信号の前記第１複数サブキャリアと前記第２無線信号の前記第２複数サブキャリアの位置合わせは、前記無線OFDMシステムの第２周波数チャネル上に伝送された前記第２無線信号の中心周波数をシフトすることで前記重複の周波数領域内の前記第１複数サブキャリアと前記第２複数サブキャリアが位置合わせされるステップを更に含み、第１周波数チャネルと第２周波数チャネルは、２つの隣接の周波数チャネルである請求項１に記載の方法。
【請求項５】
前記第１無線信号の各前記第１複数サブキャリアの第１サブキャリア間隔は、前記第２無線信号の各前記第２複数サブキャリアの第２サブキャリア間隔と実質的に同じである請求項１に記載の方法。
【請求項６】
前記周波数オフセットは、前記第１サブキャリア間隔に関連した少数値である請求項５に記載の方法。
【請求項７】
前記周波数オフセットは、前記第１サブキャリア間隔の少数値とサブキャリア間隔の数に基づいたものであり、前記サブキャリア間隔の数は、少なくとも１つである請求項５に記載の方法。
【請求項８】
前記周波数オフセットは、前記重複の周波数領域の前記第１無線信号の前記第１複数サブキャリアのサブキャリアと前記重複の周波数領域の前記第２無線信号の前記第２複数サブキャリアのサブキャリア間の最小周波数差値（Δfmin）と前記サブキャリア間隔の数に基づいている請求項５に記載の方法。
【請求項９】
前記周波数オフセットは、前記最小周波数差値に前記サブキャリア間隔の数を加えたもので、前記第１複数サブキャリア間隔の数は、０と等しいかまたは０より大きい整数である請求項８に記載の方法。
【請求項１０】
前記周波数オフセットは、前記第１複数サブキャリアの数に前記最小周波数差値（Δfmin）を引いたもので、前記第１複数サブキャリア間隔の数は、１と等しいかまたは１より大きい整数である請求項８に記載の方法。
【請求項１１】
前記周波数オフセットは、前記重複の周波数領域の前記第１無線信号の前記第１複数サブキャリアのサブキャリアと前記重複の周波数領域の前記第２無線信号の前記第２複数サブキャリアのサブキャリア間の最小周波数差値（Δfmin）に基づいている請求項１に記載の方法。
【請求項１２】
前記周波数オフセットは、前記無線信号の伝送または受信前に既定される請求項１に記載の方法。
【請求項１３】
受信機によって基準信号を受け、前記基準信号に基づいて前記周波数オフセットを推定するステップを更に含み、前記基準信号は、提案された周波数オフセットを含む請求項１に記載の方法。
【請求項１４】
前記周波数オフセットを推定する初期基準信号を受信機に伝送するステップ、及び
前記推定された周波数オフセットを伝送機から受けるステップを更に含む請求項１に記載の方法。
【請求項１５】
前記周波数オフセットは、時不変値である請求項１に記載の方法。
【請求項１６】
直交周波数分割多重（OFDM）システムの２つの隣接する周波数チャネル上の伝送に用いられる無線信号のサブキャリアを位置合わせする通信装置であって、前記通信装置は、
プロセッサ、及び
前記プロセッサで実行された時、前記プロセッサに周波数オフセットに基づいて第１無線信号の中心周波数をシフトするように命令を出させ、前記第１無線信号の第１複数サブキャリアと第２無線信号の第２複数サブキャリアを前記２つの隣接する周波数チャネルの間にある重複の周波数領域内で位置合わせさせる一組の命令を含むメモリを含み、
前記第１無線信号と前記第２無線信号は、前記２つの隣接する周波数チャネル上の伝送に用いられ、
前記第１無線信号は、前記無線OFDMシステムの第１周波数チャネル上に伝送されるように用いられ、且つ
前記第１周波数チャネルは、前記２つの隣接する周波数チャネルの１つである通信装置。
【請求項１７】
前記無線信号の中心周波数を変更するのに用いられる周波数合成器を更に含み、前記周波数チャネルによって伝送された前記第１無線信号の前記中心周波数は、前記周波数合成器を調整することでシフトされる請求項１６に記載の通信装置。
【請求項１８】
前記無線信号の中心周波数を構成するように用いられるデジタルシグナルプロセッサを更に含み、前記デジタルシグナルプロセッサを構成することで、前記第１周波数チャネルに伝送するように用いられた前記第１無線信号の中心周波数がシフトされる請求項１６に記載の通信装置。
【請求項１９】
前記通信装置は、直交周波数分割多重（OFDM）を１つまたは１つ以上の周波数分割多元接続（Frequency Division Multiple Access；FDMA）、時分割多元接続（Time Division Multiple Access；TDMA）、または符号分割多元接続（Code Division Multiple Access；CDMA）と結合するように用いられる請求項１６に記載の通信装置。
【請求項２０】
前記メモリは、前記プロセッサで実行された時、前記プロセッサに前記無線OFDMシステムの第２周波数チャネル上に伝送された前記第２無線信号の中心周波数をシフトすることで前記重複の周波数領域内の前記第１複数サブキャリアと前記第２複数サブキャリアが位置合わせされるように命令を出させる命令を更に含む請求項１６に記載の通信装置。
【請求項２１】
前記プロセッサで実行された時、前記プロセッサに基準信号を受けさせ、前記基準信号に基づいて前記周波数オフセットを推定する命令を更に含み、前記基準信号は、提案された周波数オフセットを含む請求項１６に記載の通信装置。
【請求項２２】
直交周波数分割多重（OFDM）システムの２つの隣接する周波数チャネル上の伝送に用いられる無線信号のサブキャリアを位置合わせする通信装置であって、前記通信装置は、
制御信号に基づいた周波数オフセットに基づいて前記第１無線信号の中心周波数をシフトすることによって、第１無線信号の第１複数サブキャリアと第２無線信号の第２複数サブキャリアを前記２つの隣接する周波数チャネルの間にある重複の周波数領域内で位置合わせするように用いられるベースバンド処理ユニットを含み、
前記第１無線信号と前記第２無線信号は、前記２つの隣接する周波数チャネル上の伝送に用いられ、
前記第１無線信号は、前記無線OFDMシステムの第１周波数チャネル上に伝送されるように用いられ、且つ
前記第１周波数チャネルは、前記２つの隣接する周波数チャネルの１つである通信装置。
【請求項２３】
前記ベースバンド処理ユニットは、前記第１無線信号の第１複数サブキャリアと前記第２無線信号の第２複数サブキャリアを位置合わせさせ、キャリア間干渉を減少するように用いられる請求項２２に記載の通信装置。
【請求項２４】
直交周波数分割多重（OFDM）システムの２つの隣接する周波数チャネル上の伝送に用いられる無線信号のサブキャリアを位置合わせする通信装置であって、前記通信装置は、
一組の命令を処理するプロセッサ、及び
前記プロセッサで実行された時、前記プロセッサに変更された既定の中心周波数に基づいて第１周波数チャネルの中心周波数を構成するように命令を出させ、前記第１無線信号の第１複数サブキャリアと第２無線信号の第２複数サブキャリアを前記２つの隣接する周波数チャネルの間にある重複の周波数領域内で位置合わせさせる前記一組の命令を含むメモリを含み、
前記変更された既定の中心周波数は、前記第１周波数チャネルの周波数オフセットと既定の中心周波数の和であり、
前記第１無線信号と前記第２無線信号は、前記２つの隣接する周波数チャネル上の伝送に用いられ、
前記第１無線信号は、前記無線OFDMシステムの第１周波数チャネル上に伝送されるように用いられ、
前記第１無線信号の中心周波数は、前記第１周波数チャネルの前記変更された既定の中心周波数と同じであり、且つ
前記第１周波数チャネルは、前記２つの隣接する周波数チャネルの１つである通信装置。
【請求項２５】
前記メモリは、異なる周波数チャネルのための一組の変更された既定の中心周波数を保存する請求項２４に記載の通信装置。
【国際調査報告】
2011512089.tif 000022
2011512089.tif 000023